(57)【特許請求の範囲】
【請求項１】
高圧水噴射口が管長手方向に間隔をあけて複数個設けられた複数本の洗浄管を有する洗浄治具であって、各洗浄管の管軸を含む面（Ｐ）と垂直な２方向（Ｈ）に高圧水を噴射するように前記高圧水噴射口が設けられているフィンチューブの洗浄治具において、
該洗浄治具は、グリップ部（２）と、該グリップ部（２）が長手方向の途中に接続されたヘッダ部（３）と、それぞれ該ヘッダ部（３）に接続された前記洗浄管（４〜６）とを有しており、
各洗浄管（４〜６）は、一端が該ヘッダ部に接続された１対の長管部（４ａ〜６ａ）と、長管部の他端同士を繋ぐ半円弧部（４ｂ〜６ｂ）とを有したＵ字管であり、
該長管部（４ａ〜６ａ）に前記高圧水噴射口（４ｃ〜６ｃ）が設けられており、
各洗浄管の長管部は長さが異なっており、
最も長管部の長さが大きい第１の洗浄管の各長管部が該ヘッダ部の最も両端側に連なり、
最も長管部の長さが小さい第２の洗浄管の各長管部が該ヘッダ部の最も長手方向中間側に連なっていることを特徴とするフィンチューブの洗浄治具。
【請求項２】
請求項１において、３本の前記洗浄管がヘッダ部に接続されており、
長管部の長さが、前記第１の洗浄管の長管部より短く第２の洗浄管の長管部よりも長い第３の洗浄管が、該第１及び第２の洗浄管の間に配置されていることを特徴とするフィンチューブの洗浄治具。
【請求項３】
請求項１又は２に記載の洗浄治具をボイラ内に差し込んでフィンチューブに対面させ、洗浄治具の前記高圧水噴射口から高圧水を噴射させてフィンチューブを洗浄することを特徴とするフィンチューブの洗浄方法。
【発明の詳細な説明】
【技術分野】
【０００１】
本発明は、発電用などの廃熱回収ボイラの蒸発管等に使用されているフィンチューブに付着する付着物（スケール）を高圧水洗浄する方法及びそのための洗浄治具に関する。
【背景技術】
【０００２】
発電用等の廃熱ボイラのフィンチューブ（蒸発管等）には、ボイラ運転中に硫酸アンモニウム等の水溶性成分および酸化鉄やカルシウム、シリカ等の不溶解成分が付着し堆積する。これにより廃熱ボイラの排ガスの差圧が大きくなったり、熱効率が悪化してボイラ効率が悪化する。このため、定期的にボイラを停止し、高圧水洗浄等によるフィンチューブの洗浄が行われる。
【０００３】
なお、火炉の伝熱管付着物を高圧水で洗浄除去することが特許文献１に記載されている。
【先行技術文献】
【特許文献】
【０００４】
【特許文献１】特開平７−８３５９８号公報
【発明の概要】
【発明が解決しようとする課題】
【０００５】
ボイラの型式やメーカーによってフィンチューブの配列や構造が様々であり、フィンチューブの間隔が狭く、千鳥配列になったボイラでは高圧水洗浄の噴射水が管束の奥のフィンチューブまで届かず、高圧水洗浄の効果が得られなかった。
【０００６】
例えば、フィンチューブの表面から高圧水を噴射した場合、噴射水が直接当たったフィンチューブの付着物のみが除去され、管束の奥のフィンチューブまで高圧水が届かないため、付着物の除去効果が悪い。フィンチューブの上部から水を掛け流す方法や、水をスプレーする方法も行われるが、水溶性成分はある程度除去できるが、不溶解成分は除去できない。
【０００７】
本発明は、フィンチューブの付着物を効率よく洗浄除去することができるフィンチューブの洗浄方法及びそのための洗浄治具を提供することを目的とする。
【課題を解決するための手段】
【０００８】
本発明のフィンチューブの洗浄治具は、高圧水噴射口が管長手方向に間隔をあけて複数個設けられた洗浄管を有する洗浄治具であって、洗浄管の管軸を含む面（Ｐ）と垂直な２方向（Ｈ）に高圧水を噴射するように前記高圧水噴射口が設けられているものである。
【０００９】
本発明の一態様では、該洗浄治具は、グリップ部と、該グリップ部が長手方向の途中に接続されたヘッダ部と、該ヘッダ部に接続された前記洗浄管とを有しており、該洗浄管は、一端が該ヘッダ部に接続された１対の長管部と、長管部の他端同士を繋ぐ半円弧部とを有したＵ字管であり、該長管部に前記高圧水噴射口が設けられている。
【００１０】
本発明の一態様では、複数本の前記洗浄管がヘッダ部に接続されている。
【００１１】
本発明のフィンチューブの洗浄方法は、かかる本発明の洗浄治具をボイラ内に差し込んでフィンチューブに対面させ、洗浄治具の前記高圧水噴射口から高圧水を噴射させてフィンチューブを洗浄することを特徴とする。
【発明の効果】
【００１２】
本発明の洗浄治具は、平たいため、フィンチューブ同士の間の狭いスペースにも容易に差し込むことができ、奥のフィンチューブに対しても高圧水を直接に噴射することができる。従って、本発明によると、フィンチューブを、効率的に高圧水洗浄することができる。
【図面の簡単な説明】
【００１３】
【図１】実施の形態に係る洗浄治具の平面図である。
【図２】図１のII−II線拡大断面図である。
【図３】フィンチューブの洗浄状態を示す斜視図である。
【発明を実施するための形態】
【００１４】
以下、図面を参照して実施の形態について説明する。図１，２の通り、本実施の形態で用いる洗浄治具１は、グリップ部２と、該グリップ部２の一端に連なるヘッダ部３と、該ヘッダ部３に連なる高圧水噴射管４，５，６とを有する。ただし、高圧水噴射管の数は１本、２本又は４本以上であってもよい。
【００１５】
この実施の形態では、グリップ部２及びヘッダ部３は、それぞれ短い直管状であり、ヘッダ部３の長手方向の中間にグリップ部２の一端が溶接等により接続され、グリップ部２とヘッダ部３とがＴ字状となっている。グリップ部２の他端に高圧ホース（図示略）の接続部２ａが設けられている。
【００１６】
高圧水噴射管４〜６は、それぞれ、１対の直管状の長管部４ａ，５ａ，６ａと、長管部４ａ，４ａ同士、長管部５ａ，５ａ同士、及び長管部６ａ，６ａ同士を繋ぐ略半円弧形に湾曲した半円弧部４ｂ，５ｂ，６ｂとを有した長いＵ字管よりなる。高圧水噴射管４〜６は、それぞれ長管部４ａ〜６ａをグリップ部２と平行方向に延在させており、各長管部４ａの端部がそれぞれヘッダ部３に溶接等により接続されている。
【００１７】
高圧水噴射管４〜６のうち、高圧水噴射管４の長管部４ａが最も長く、高圧水噴射管６の長管部６ａが最も短い。高圧水噴射管４の長管部４ａ，４ａは、ヘッダ部３の最も両端側に連なり、高圧水噴射管６の長管部６ａ，６ａはヘッダ部３の最も長手方向中間側に連なっている。高圧水噴射管５は、高圧水噴射管４，６間に配置されている。
【００１８】
各長管部４ａ，５ａ，６ａには、長手方向に間隔をおいて高圧水噴射口４ｃ，５ｃ，６ｃが設けられている。各高圧水噴射口４ｃ〜６ｃは、グリップ部２、ヘッダ部３及び高圧水噴射管４〜６の軸心を含む面Ｐと垂直な両方向（Ｈ方向）に高圧水を噴射するように設けられている。
【００１９】
この実施の形態では、長管部４〜６の高圧水噴射口４ｃ〜６ｃの位置は、長管部４ａ〜６ａの長手方向（Ｌ方向）においてずれている。高圧水噴射口４ｃ，５ｃ，６ｃ同士のＬ方向の間隔ｄは、いずれもほぼ等しい。この間隔ｄは５０〜１００ｍｍ程度が好ましい。また、高圧水噴射管４〜６の内径は好ましくは４〜９ｍｍ程度、高圧水噴射口４ｃ〜６ｃの口径は好ましくは０．３〜１．５ｍｍ特に０．５〜１ｍｍである。
【００２０】
この洗浄治具１を用いてフィンチューブ１０の洗浄を行うには、洗浄治具１のグリップ部２に高圧ホース（図示略）を接続し、グリップ部２を作業者が洗浄治具１を掴んでボイラ内に差し込み、面Ｐがフィンチューブ１０の配列と平行となり、かつＬ方向がフィンチューブ１０の長手方向と略直交方向となるように配置する。そして、水圧が５ＭＰａ以上、例えば５〜５０ＭＰａ程度の高圧水を洗浄治具１に供給し、噴射口４ｃ〜６ｃから高圧水を噴射する。洗浄治具１を任意に移動させ、フィンチューブ１０全体に万遍なく高圧水を噴射させて付着物を除去する。
【００２１】
この洗浄治具１は、平たいため、フィンチューブ１０同士の間の狭いスペースにも容易に差し込むことができ、奥のフィンチューブ１０に対しても高圧水を直接に噴射することができ、効率的に高圧水洗浄を行うことができる。
【００２２】
なお、従来の高圧水洗浄方法によって洗浄したフィンチューブについて、本発明の洗浄治具を用いてさらに洗浄したところ、新たに付着物が除去されて、排水と共に流出してくることが確認された。これにより、本発明の高圧水洗浄治具の洗浄効果が高いことが認められた。
【符号の説明】
【００２３】
１  洗浄治具
２  グリップ部
３  ヘッダ部
４〜６  洗浄管
４ｃ〜６ｃ  高圧水噴射口
１０  フィンチューブ
【図１】
0006699199.tif 000002
【図２】
0006699199.tif 000003
【図３】
0006699199.tif 000004